(57)【要約】      （修正有）【課題】安全性の高いロック構造を提供する。【解決手段】キーブレード１は少なくとも１個の溝１２を備え、或いは溝１２を設置せず、しかもキーブレード１が溝１２を備えるなら、溝１２は異なる長さを呈して設置し、少なくとも１個の磁性部品２は凹部１１に対応して収容設置され、しかも磁性部品２の数は凹部１１よりも多くなく、凹部１１、溝１２、及び磁性部品２の相互配列組合せにより、多くの組数のロックシステムを形成でき、こうしてロックシリンダー構造の安全性は増強され、異なる深さの凹部１１、溝１２の有無或いは異なる長さの設置、相互吸着或いは相互反発の磁性部品２と磁性ボール、磁性部品２を未収容設置の凹部１１は相互に異なる接触係合部１１１を備えるなどの構造の配列により、不当な方式では解錠することは困難で、さらに大小のロックボール構造を備えるこのタイプのロック外し防止、破壊防止のロックシリンダーは、非常に高い盗難防止効果を備える。【選択図】図１
0003172079.tif 000002
【実用新案登録請求の範囲】
【請求項１】
安全性の高いロック構造は、キーブレード、少なくとも１個の磁性部品を備え、
前記キーブレードの表面には、少なくとも１個の凹部を設置し、前記キーブレードは、少なくとも１個の溝を備え、或いは溝を設置せず、しかも前記キーブレードが溝を備えるなら、前記溝は、異なる長さを呈して設置し、
前記少なくとも１個の磁性部品は、前記凹部に対応して収容設置され、しかも前記磁性部品の数は、前記凹部よりも多くないことを特徴とする安全性の高いロック構造。
【請求項２】
前記磁性部品を収容設置しない凹部はさらに、接触係合部を備えることを特徴とする請求項１に記載の安全性の高いロック構造。
【請求項３】
前記接触係合部は、異なる深さの凹壁を呈することを特徴とする請求項２に記載の安全性の高いロック構造。
【請求項４】
前記接触係合部は、異なる深さの凸壁を呈することを特徴とする請求項２に記載の安全性の高いロック構造。
【請求項５】
前記凹部は、異なる距離を呈して配列されることを特徴とする請求項１に記載の安全性の高いロック構造。
【請求項６】
前記キーブレードには、異なる深さの凹部を形成することを特徴とする請求項１に記載の安全性の高いロック構造。
【考案の詳細な説明】
【技術分野】
【０００１】
本考案は安全性の高いロック構造に関し、特に相互に深さが異なる形状に形成する凹部、溝の有無、或いは長さの異なる設置、相互に吸着或いは相互に反発する磁性部品と磁性ボール、磁性部品を収容設置しない凹部は相互に異なる接触係合部を備えるなどの構造の配列と組合せにより、キーブレードが適用するロックシリンダー構造を不心得者が知ることは難しく、不当な方式では解錠することは困難であるため、良好な盗難防止効果を備える安全性の高いロック構造に関する。
【背景技術】
【０００２】
現在、比較的普及しているロック構造は、ロックボール式を採用するロックシリンダーに、対応するキーブレードを合わせたものが多い。また、現在よく用いられているロック構造の一つとして、ロックボール式ロック構造の盗難防止機能を増強するため、複数の大小のロックボール構造を利用し、泥棒による解錠を難しくしているものがある。しかし、上記した従来の大小のロックボール構造を備えるロック構造は、Ｌ型スパナ、或いはユニバーサルキーにより動かされ、解錠される恐れがある。そのため、盗難防止効果を確実に達成することはできていない。しかも、ロックとスリーブとの隙間を利用し、該各ロックボールを動かし、該隙間を利用して、該各ロックボールを解錠位置に係合させることができ、これが現在泥棒が解錠によく用いる手法である。すなわち、大小のロックボール構造を備える従来のロック構造が、上記した手法によりロック構造を解錠しようとする不心得者を、効果的に防ぐことはできない。
【０００３】
さらに、従来の近似類型のロック構造では、キーブレードの変化が、溝とロックボール孔の配列だけで、その組合せ変化の形態が少ないものがあり、これでは簡単に繰り返す恐れがある。よって、該各近似類型のロック構造は、相互に異なる配列組合せの形態を、量産することができない。該各近似類型のロック構造の配列方式は、極限まで変換されると、新たに設計し、金型を新たに製造しなければならない。そのため、時間とコストが無駄に費やされることになる。しかも、溝とロックボール孔が対応するロックシリンダーは、実質的に有効な盗難防止効果を備えないことは、上記のように明らかである。よって、従来のキーブレードとロックシリンダー構造は、さまざまな配列組合せの変化を行うことができず、しかも盗難防止の目的を確実に達成することができない。
本考案は、従来のロック構造の上記した欠点に鑑みてなされたものである。
【考案の概要】
【考案が解決しようとする課題】
【０００４】
本考案が解決しようとする課題は、さまざまな配列組合せの変化を行うことができず、しかも盗難防止効果を確実に達成できないという従来のロック構造の問題を解決することができる安全性の高いロック構造を提供することである。
【課題を解決するための手段】
【０００５】
上記課題を解決するため、本考案は下記の安全性の高いロック構造を提供する。安全性の高いロック構造は、キーブレード、少なくとも１個の磁性部品を備え、該キーブレードの表面には、少なくとも１個の凹部を設置し、該キーブレードは、少なくとも１個の溝を備え、或いは溝を設置せず、しかも該キーブレードが溝を備えるなら、該溝は、異なる長さを呈して設置し、
該少なくとも１個の磁性部品は、該凹部に対応して収容設置され、しかも該磁性部品の数は、該凹部よりも多くなく、
該磁性部品を収容設置しない凹部はさらに、接触係合部を備え、
該接触係合部は、異なる深さの凹壁を呈し、
該接触係合部は、異なる深さの凸壁を呈し、
該凹部は、異なる距離を呈して配列され、
該キーブレードには、異なる深さの凹部を形成する。
【考案の効果】
【０００６】
本考案の安全性の高いロック構造は、各凹部、溝、磁性部品及び接触係合部により、さまざまな配列の組合せが可能であるため、多種の近似形態のロックシステムに変換でき、量産化する時には、繰り返しの状況が発生しにくく、よって新たなロック構造を設計及び製造することによって費やされる時間とコストを節減することができる。しかも、ロック構造に適用するロック構造は、ロック外し防止、ロック破壊防止の効果を備えるため、泥棒が、ロックシリンダー内部構造を知ることはより一層困難で、そのため解錠は不可能で、こうしてより良好な盗難防止機能を達成することができ、大小のロックボール構造を備えるこのタイプのロック外し防止、破壊防止のロックシリンダーは、非常に高い盗難防止効果を備える。
【図面の簡単な説明】
【０００７】
【図１】本考案第一実施例の立体図である。
【図２】本考案第一実施例の立体分解模式図である。
【図３】本考案第一実施例の側視模式図である。
【図４】本考案ロック構造の立体模式図である。
【図５】本考案ロック構造の断面模式図である。
【図６】本考案ロック構造において、キーブレードを挿入する時に、磁性ボールと磁性部品が相互に吸着する状態を示す断面模式図である。
【図７】本考案ロック構造において、キーブレードを挿入する時に、磁性ボールと磁性部品が相互に反発する状態を示す断面模式図である。
【図８】本考案第二実施例の立体図である。
【考案を実施するための形態】
【０００８】
以下に図面を参照しながら本考案を実施するための最良の形態について詳細に説明する。
【実施例】
【０００９】
図１〜３に示すように、本考案の第一実施例の安全性の高いロック構造は、キーブレード１、少なくとも１個の磁性部品２を備える。
【００１０】
キーブレード１は、表面に、少なくとも１個の溝１２、少なくとも１個の凹部１１を設置する。各溝１２は、異なる長さを呈して設置する。しかも、各相互に異なる凹部１１は、異なる距離に配列することができる。各相互に異なる凹部１１は、異なる深さに設置することができる。
【００１１】
少なくとも１個の磁性部品２は、凹部に対応して収容設置される。しかも、磁性部品２の数は、凹部１１より多くない。磁性部品２を収容設置しない凹部１１はさらに、接触係合部１１１を備える。接触係合部１１１は、深さの異なる凹壁１１１１、或いは深さの異なる凸壁１１１２を呈することができる。
【００１２】
本考案の操作状態について、先ず、図４〜６を参照されたい。図４〜６に示す本考案のロック構造に対応するロックシリンダー４は、スリーブ３の内部を穿って設置する。ロックシリンダー４は、ロック孔４１を備える。ロック孔４１には、本考案のキーブレード１を挿入する。しかも、ロック孔４１は、長さの異なる溝１２、或いは溝１２を持たないキーブレード１に対応し、これにより異なる溝１２、キーブレード１、或いは異物のロック孔４１への進入を防止することができる。スリーブ３と、ロックシリンダー4のロック孔４１との間には、キーブレード１をロック孔４１に挿入する時、凹部１１位置に対応する、少なくとも１個のロックボール槽５を穿って設置し連通する。各ロックボール槽５内には、ロックボール組６a、６b、６cの内の何れか１個をそれぞれ収容して設置する。図６に示すように、ロックボール組６aは、封鎖蓋６１を備える。封鎖蓋６１外縁、及び内縁には、弾性体６２をそれぞれ連結する。封鎖蓋６１外縁に連結する弾性体６２は、大ボール６３に対応して連結する。大ボール６３中心には、小ボール６４を穿って設置する。しかも、封鎖蓋６１内縁に連結する弾性体６２は、小ボール６４に対応して連接する。大ボール６３とロック孔４１壁面間には、大下ボール６５を備える。大下ボール６５は、大ボール６３と対応し、かつ相互に接触して止まる。各相互に異なる凹部１１は、異なる深さを呈して設置するため、凹部１１は、相互に異なる深さ、大きさ、或いは形状を備える。よって、ロックボール組６aの大下ボール６５と、ロック孔４１壁面が接触して止まる一端は、磁性部品２を未収容設置の凹部１１にそれぞれ対応する。大下ボール６５中心には、小ボール６４に対応する小下ボール６６を穿って設置する。小下ボール６６は、小ボール６４と相互に接触して止まる。小下ボール６６とロック孔壁面が接触して止まる一端は、接触係合部１１１である。接触係合部１１１は、異なる深さの凹壁１１１、或いは異なる深さの凸壁１１２を呈するため、小下ボール６６は、凹部１１の接触係合部１１１にそれぞれ対応する。キーブレード１をロック孔４１に挿入すると、相互に対応する凹部１１と大下ボール６５、及び接触係合部１１１と小下ボール６６により、大ボール６３と大下ボール６５が相互に接触して止まる面、小ボール６４と小下ボール６６が相互に接触して止まる面は、共に対応し、スリーブ３とロックシリンダー４との結合面に等しくなる時、スリーブ３、ロックシリンダー４、ロックボール組６a間には、係合がない状態が形成される。ロックボール組６bは、封鎖蓋６１を備える。封鎖蓋６１は、スリーブ３一端より順番に、弾性体６２、ロックボール６７を連結される。ロックボール６７は、収容室６７１を備える。しかも、ロックボール６７とロック孔４１壁面間には、大下ボール６５を備える。大下ボール６５中心には、収容室６７１に対応する磁性ボール６８を穿って設置する。磁性ボール６８は、磁性部品２と相互に吸着する性質に設置される。しかも、磁性ボール６８は、ロック孔４１壁面に、弾性部品６８１を備える。これにより、磁性ボール６８は、磁性部品２に吸着されていない時には、弾性部品６８１の弾力の影響を受け、収容室６７１内に係合され���磁性ボール６８は、スリーブ３とロックシリンダー４との結合面に止まり、これによりロックシリンダー４は回転不能となる。キーブレード１をロック孔４１に挿入すると、磁性ボール６８と磁性部品２とは、相互吸着を呈し、弾性部品６８１の弾力を克服する。これにより、磁性ボール６８は、収容室６７１を離脱する。この時、ロックボール６７と大下ボール６５とが相互に接触して止まる面の対応は、スリーブ３とロックシリンダー４との結合面に同等となり、しかも磁性ボール６８に止められないため、スリーブ３、ロックシリンダー４、ロックボール組６bの間には、係合がない状態が形成される。
【００１３】
次に図７に示すように、ロックボール組６cは、封鎖蓋６１を備える。封鎖蓋６１は、スリーブ３一端より順番に、弾性体６２、ロックボール６７を連結される。しかも、ロックボール６７とロック孔４１壁面間には、ロックボール６７を対応して係合するロック下ボール６９を備える。かつ、ロックボール６７とロック下ボール６９との間には、収容室６７１を穿って設置する。収容室６７１内には、磁性ボール６８を設置する。しかも、磁性ボール６８と磁性部品２とは、相互に反発する性質に設置する。かつ、磁性ボール６８とロックボール６７との間には、弾性部品６８１を備える。これにより、磁性ボール６８が、磁性部品２に反発されていない時には、弾性部品６８１の弾力の影響を受け、ロック下ボール６９に押さえられ、磁性ボール６８は、スリーブ３とロックシリンダー４との結合面に止まり、これによりロックシリンダー４は回転不能となる。キーブレード１をロック孔４１に挿入すると、磁性ボール６８と磁性部品２とは、相互反発を呈し、弾性部品６８１の弾力を克服する。これにより、磁性ボール６８は、ロック下ボール６９一端の収容室６７１を離脱する。この時、ロックボール６７とロック下ボール６９とが相互に接触して止まる面は、スリーブ３とロックシリンダー４との結合面に同等となり、しかも磁性ボール６８に止められないため、スリーブ３、ロックシリンダー４、ロックボール組６cの間には、係合がない状態が形成される。各ロックボール槽５に収容設置するロックボール組６a、６b、６cと、スリーブ３及びロックシリンダー４との間がすべて無係合状態となると、ロックシリンダー４を回し、ロック構造を解錠可能となる。
【００１４】
図８に示すように、本考案第二実施例の第一実施例との主要な差異は、キーブレード１には、溝１２を設置しない点である。これにより、キーブレード１は、より多くの空間を備え、凹部１１を設置でき、磁性部品２を収容設置することができる。こうして、磁性部品２が相互に吸着、或いは相互に反発する配列組合せの組数がより多様になる。
【００１５】
上記した設置により、本考案安全性の高いロック構造は、以下の効果を確実に達成することができる。
1.磁性部品２を設置することで、ロックボール組６b、６cの磁性ボール６８は、磁性部品２と相互に吸着或いは相互に反発する構造をそれぞれ備え、不心得者がＬ型スパナ、或いはユニバーサルキーで解錠することはできなくなる。
2.異なる深さの凹部１１、それぞれ異なる接触係合部１１１、磁性部品２と磁性ボール６８の相互吸着或いは相互反発構造、溝１２の有無或いは異なる長さの設置により、本考案は、さまざまな配列組合せの形式を備えるため、多種の近似形態のロックシステムに変換でき、量産化する時には、繰り返しの状況が発生しにくく、よって新たなロック構造を設計及び製造することによって費やされる時間とコストを節減することができる。
3.大小のロックボールと磁性ボールを備えるこのタイプの構造のロック外し防止、ロックシリンダー破壊防止のロックボール組６a、６b、６cは、各凹部１１の構造、或いは対応する磁性部品２に対応しなければ解錠できないため、泥棒が、ロックシリンダー内部構造を知り、解錠することはより一層困難で、こうしてより良好な盗難防止機能を達成することができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
１      キーブレード
１１    凹部
１１１  接触係合部
１１１１  凹壁
１１１２  凸壁
１２    溝
２      磁性部品
３      スリーブ
４      ロックシリンダー
４１    ロック孔
５      ロックボール槽
６a、６b、６c  ロックボール組
６１    封鎖蓋
６２    弾性体
６３    大ボール
６４    小ボール
６５    大下ボール
６６    小下ボール
６７    ロックボール
６７１  収容室
６８    磁性ボール
６８１  弾性部品
６９    ロック下ボール
【図１】
0003172079.tif 000003
【図２】
0003172079.tif 000004
【図３】
0003172079.tif 000005
【図４】
0003172079.tif 000006
【図５】
0003172079.tif 000007
【図６】
0003172079.tif 000008
【図７】
0003172079.tif 000009
【図８】
0003172079.tif 000010